(57)【特許請求の範囲】
【請求項１】
透液性表面シートと不透液性裏面シートとの間に吸液性コアが介在し、前胴周り域および後胴周り域とそれら胴周り域の間に位置する股下域とを備え、前記股下域の両側に横方向内方へ向かって凹欠する脚周り対向側部が形成され、前記対向側部の前端近傍から前記股下域の前後方向中央部へ向かって実質的に弧を画く伸縮性の第１弾性部材と、前記対向側部の後端近傍から前記前後方向中央部へ向かって実質的に弧を画く伸縮性の第２弾性部材とが伸長状態で取り付けられた使い捨て着用物品において、
前記コアが、前記股下域を中心に配置され、前記前後方向中央部に延びる中間部と、前記中間部から前記前胴周り域へ向かって延びる前端部と、前記中間部から前記後胴周り域へ向かって延びる後端部とを有し、前記第１弾性部材が、前記対向側部の前端近傍に延びる第１両側部分と、前記裏面シートの側に延びていて前記コアの前端部を横切る第１中央部分とを有し、前記第２弾性部材が、前記対向側部の後端近傍に延びる第２両側部分と、前記裏面シートの側に延びていて前記コアの後端部を横切る第２中央部分とを有し、前記対向側部を前後方向へ延びる伸縮性の第３弾性部材が、前記第１弾性部材の前記第１中央部分と前記第２弾性部材の前記第２中央部分との間において、前記第１弾性部材及び前記第２部材と交差することなく、伸長状態で取り付けられていることを特徴とする前記着用物品。
【請求項２】
前記コアの前後端部と中間部との剛性が、前後端部＜中間部の関係にある請求項１記載の物品。
【発明の詳細な説明】
【０００１】
【発明の属する技術分野】
本発明は、排泄物を吸収、保持する使い捨て着用物品に関する。
【０００２】
【従来の技術】
特開平８−２４２９１号公報は、透液性表面シートと不透液性裏面シートとの間に吸液性コアが介在し、互いに対向する前胴周り域および後胴周り域とそれら胴周り域の間に位置する股下域とを備え、前後胴周り域の両側縁部が連結されて胴周り開口と一対の脚周り開口とが画成されたパンツ型の使い捨ておむつを開示している。
【０００３】
このおむつには、股下域の両側に横方向内方へ向かって凹欠する一対の脚周り対向側部が形成されている。おむつには、対向側部の前端から股下域の前後方向中央部へ向かって弧を画く伸縮性の第１弾性部材が伸長状態で取り付けられ、対向側部の後端から股下域の前後方向中央部へ向かって弧を画く伸縮性の第２弾性部材が伸長状態で取り付けられている。第１および第２弾性部材は、対向側部の前後端近傍に延びる両側部分と、前後方向へ離間対向して股下域の前後方向中央部を横切る中央部分とを有する。対向側部には、第１および第２弾性部材の中央部分の間を前後方向へ延びる伸縮性の第３弾性部材が伸長状態で取り付けられている。対向側部は、脚周り開口の縁部を画成する。
【０００４】
このおむつでは、それを着用したときに、第１および第２弾性部材の両側部分と第３弾性部材とが着用者の脚周りを囲繞するので、第１および第２弾性部材が股下域において前後方向へ離間していても、第１〜第３弾性部材によって着用者の脚周り全周を締め付けることができ、股下域からの排泄物の漏れを防ぐことができる。
【０００５】
【発明が解決しようとする課題】
前記第１および第２弾性部材では、中央部分の収縮が表裏面シートよりも高剛性のコアによって阻止され、中央部分が十分に収縮することができない場合がある。このおむつでは、中央部分の収縮が不十分であると、その収縮を利用してコアを着用者の肌に押し付けることができず、コアを着用者の肌に密着させることができない。また、このおむつでは、第１および第２弾性部材の中央部分が股下域の前後方向中央部を横切っているので、中央部分の収縮によってコアの中間部を着用者の肌に押し付けることができたとしても、コアの前後端部を着用者の肌に密着させることはできない。
【０００６】
本発明の課題は、第１および第２弾性部材の中央部分の収縮を利用し、コアの前後端部を着用者の肌に密着させることができる使い捨て着用物品を提供することにある。
【０００７】
【課題を解決するための手段】
前記課題を解決するために、本発明が前提とするところは、透液性表面シートと不透液性裏面シートとの間に吸液性コアが介在し、前胴周り域および後胴周り域とそれら胴周り域の間に位置する股下域とを備え、前記股下域の両側に横方向内方へ向かって凹欠する脚周り対向側部が形成され、前記対向側部の前端近傍から前記股下域の前後方向中央部へ向かって実質的に弧を画く伸縮性の第１弾性部材と、前記対向側部の後端近傍から前記前後方向中央部へ向かって実質的に弧を画く伸縮性の第２弾性部材とが伸長状態で取り付けられた使い捨て着用物品である。
【０００８】
かかる前提において、本発明の特徴は、前記コアが、前記股下域を中心に配置され、前記前後方向中央部に延びる中間部と、前記中間部から前記前胴周り域へ向かって延びる前端部と、前記中間部から前記後胴周り域へ向かって延びる後端部とを有し、前記第１弾性部材が、前記対向側部の前端近傍に延びる第１両側部分と、前記裏面シートの側に延びていて前記コアの前端部を横切る第１中央部分とを有し、前記第２弾性部材が、前記対向側部の後端近傍に延びる第２両側部分と、前記裏面シートの側に延びていて前記コアの後端部を横切る第２中央部分とを有し、前記対向側部を前後方向へ延びる伸縮性の第３弾性部材が、前記第１弾性部材の前記第１中央部分と前記第２弾性部材の前記第２中央部分との間において、前記第１弾性部材及び前記第２部材と交差することなく、伸長状態で取り付けられていることにある。
【０００９】
本発明の実施の態様の一例としては、前記コアの前後端部と中間部との剛性が、前後端部＜中間部の関係にある。
【００１０】
【００１１】
【発明の実施の形態】
添付の図面を参照し、本発明にかかる使い捨て着用物品の詳細をパンツ型のおむつと開放型のおむつとを例として説明すると、以下のとおりである。
【００１２】
図１，２は、パンツ型に成形する以前の状態で示すおむつ１Ａの部分破断平面図と、図１の状態からパンツ型に成形したおむつ１Ａの部分破断斜視図とであり、図３は、コア４の中間部４ｂを省略して示す図１のＡ−Ａ線端面図である。図１では、横方向を矢印Ｘで示し、前後方向を矢印Ｙで示す。図２では、胴周り方向を矢印Ｘで示し、脚周り方向を矢印Ｙで示す。なお、表裏面シート２，３における内面とは、コア４に対向する面をいい、それらシート２，３の外面とは、コア４に非対向の面をいう。
【００１３】
おむつ１Ａは、透液性表面シート２と、疎水性繊維不織布３ａにプラスチックフィルム３ｂを固着した複合シートからなる不透液性裏面シート３と、表面シート２と裏面シート３との間に介在し、それらシート２，３の内面に接合された吸液性コア４とを主要な構成部材とする。
【００１４】
おむつ１Ａは、図１に示すように、前後方向に前胴周り域２０と、後胴周り域２２と、それら胴周り域２０，２２の間に位置する股下域２１とを有する。おむつ１Ａは、前後胴周り域２０，２２を横方向へ延びる両端縁部５と、前後胴周り域２０，２２を前後方向へ延びる両側縁部６，７とを有する。
【００１５】
股下域２１の両側には、横方向内方へ向かって凹欠する一対の脚周り対向側部８が形成されている。股下域２１には、弾性的な伸縮性を有する複数条の第１弾性部材９および第２弾性部材１０と、弾性的な伸縮性を有する複数条の第３弾性部材１１とが伸長状態で取り付けられている。
【００１６】
コア４は、股下域２１に配置されて前後方向へ延びている。コア４は、股下域２１の前後方向中央部２１ａに延びる中間部４ｂと、中央部２１ａから前胴周り域２０へ向かって延びる前端部４ａと、中央部２１ａから後胴周り域２２へ向かって延びる後端部４ｃとを有する。コア４の前端部４ａは、前胴周り域２０の側へわずかに延びている。コア４では、対向側縁８の内側を前後方向へ延びる両側縁４ｄがおむつ１Ａの横方向内方へ向かって弧を画いている。
【００１７】
コア４は、粉砕パルプと高吸収性ポリマー粒子との混合物、または、粉砕パルプと高吸収性ポリマー粒子と熱可塑性合成樹脂繊維との混合物であり、所要の厚みに圧縮されている。ゆえに、コア４は、表面シート２や裏面シート３よりも高剛性である。
【００１８】
コア４は、前後端部４ａ，４ｃの剛性が中間部４ｂのそれよりも低い。コア４の前後端部４ａ，４ｃの剛性を中間部４ｂのそれよりも低くするには、前後端部４ａ，４ｃにおけるコア４の坪量を中間部４ｂにおけるコア４のそれよりも低くすればよい。また、前後端部４ａ，４ｃの坪量と中間部４ｂのそれとが同一である場合では、前後端部４ａ，４ｃにおけるコア４の密度を中間部４ｂにおけるコア４のそれよりも低くすればよい。
密度を中間部４ｂにおけるコア４のそれよりも低くするか、または、コア４の前後端部４ａ，４ｃの厚み寸法を中間部４ｂのそれよりも小さくすればよい。
【００１９】
第１弾性部材９は、前胴周り域２０の側に位置する対向側部８の前端８ａから股下域２１の中央部２１ａへ向かって実質的に弧を画いて延びている。第１弾性部材９は、対向側部８の前端８ａ近傍を対向側部８に沿って延びる両側部分９ａと、コア４の前端部４ａを横切る中央部分９ｂとを有する。
【００２０】
第２弾性部材１０は、後胴周り域２２の側に位置する対向側部８の後端８ｂから股下域２１の中央部２１ａへ向かって実質的に弧を画いて延びている。第２弾性部材１０は、対向側部８の後端８ｂ近傍を対向側部８に沿って延びる両側部分１０ａと、コア４の後端部４ｃを横切る中央部分１０ｂとを有する。
【００２１】
第３弾性部材１１は、第１弾性部材９の中央部分９ｂと第２弾性部材１０の中央部分１０ｂとの間に配置され、第１弾性部材９と第２弾性部材１０とに交差することなく、対向側部８に沿ってコア４の両側縁４ｄの外側を前後方向へ延びている。第１および第２弾性部材９，１０と第３弾性部材１１とは、裏面シート３を形成する繊維不織布３ａとプラスチックフィルム３ｂとの間に介在し、それらに固着されている。
【００２２】
両端縁部５には、横方向へ延びる複数条の胴周り用弾性部材１２が伸長状態で取り付けられている。胴周り用弾性部材１２と第１および第２弾性部材９，１０との間には、前後胴周り域２０，２２を横方向へ延びる複数条の補助弾性部材１３が伸長状態で取り付けられている。胴周り用弾性部材１２と補助弾性部材１３とは、繊維不織布３ａとプラスチックフィルム３ｂとの間に介在し、それらに固着されている。
【００２３】
おむつ１Ａは、図２に示すように、前後胴周り域２０，２２に延びる両側縁部６，７が間欠的に並ぶ接合部１４を介して固着され、パンツ型に成形される。パンツ型に成形されたおむつ１Ａには、胴周り開口１５と一対の脚周り開口１６とが画成されている。おむつ１Ａでは、両端縁部５が胴周り開口１５の縁部を形成し、対向側部８が脚周り開口１６の縁部を形成する。
【００２４】
第１および第２弾性部材９，１０の両側部分９ａ，１０ａと第３弾性部材１１とは、脚周り開口１６の縁部を脚周り方向へ延びている。胴周り用弾性部材１２は、胴周り開口１５の縁部を胴周り方向へ延びている。補助弾性部材１３は、前後胴周り域２０，２２を胴周り方向へ延びている。おむつ１Ａでは、それら弾性部材９，１０，１１，１２，１３が収縮し、胴周り開口１５の縁部と脚周り開口１６の縁部と前後胴周り域２０，２２とに多数のギャザーが形成されている。
【００２５】
図４，５は、開放型のおむつ１Ｂの部分破断平面図と、前後胴周り域２０，２２を連結した着用状態で示すおむつ１Ｂの部分破断斜視図とであり、図６，７は、コア４の中間部４ｂを省略して示す図４のＢ−Ｂ線端面図と、図４のＣ−Ｃ線端面図とである。図４では、横方向を矢印Ｘで示し、前後方向を矢印Ｙで示す。図５では、胴周り方向を矢印Ｘで示し、脚周り方向を矢印Ｙで示す。
【００２６】
おむつ１Ｂは、透液性表面シート２と、不透液性防漏シート１７と、それらシート２，１７の間に介在し、全体がティッシュペーパー（図示せず）に被覆、接合された吸液性コア４と、疎水性繊維不織布３ａにプラスチックフィルム３ｂを固着した不透液性裏面シート３とを主要な構成部材とする。裏面シート３は、砂時計型を呈する開放型のおむつ形態を備え、おむつ１Ｂの前後胴周り域２０，２２と股下域２１とを画成している。
【００２７】
コア４は、股下域２１に配置され、前後端部４ａ，４ｃと中間部４ｂとを有する。コア４は、前後端部４ａ，４ｃの剛性が中間部４ｂのそれよりも低い。コア４は、ティッシュペーパーを介して表面シート２と防漏シート１７との内面に接合されている。
【００２８】
表面シート２と防漏シート１７とは、それらシート２，１７の周縁部がコア４の周縁から周方向外方へわずかに延び、それらシート２，１７の周縁部が互いに重なり合った状態で固着されている。防漏シート１７は、股下域２１における裏面シート３の内面に固着されている。
【００２９】
股下域２１の両側には、おむつ１Ｂの横方向内方へ向かって凹欠する一対の脚周り対向側部８が形成されている。股下域２１には、対向側部８の前端８ａから股下域２１の中央部２１ａへ向かって弧を画く第１弾性部材９と、対向側部８の後端８ｂから股下域２１の中央部２１ａへ向かって弧を画く第２弾性部材１０とが伸長状態で取り付けられている。
【００３０】
第１および第２弾性部材９，１０は、対向側部８の前後端８ａ，８ｂ近傍を対向側部８に沿って延びる両側部分９ａ，１０ａと、コア４の前後端部４ａ，４ｃを横切る中央部分９ｂ，１０ｂとを有する。第１および第２弾性部材９，１０は、繊維不織布３ａとプラスチックフィルム３ｂとの間に介在し、それらに固着されている。
【００３１】
第１および第２弾性部材９，１０の中央部分９ｂ，１０ｂの間には、第３弾性部材１１が伸長状態で取り付けられている。第３弾性部材１１は、対向側部８に沿ってコア４の両側縁４ｄの外側を前後方向へ延びている。第３弾性部材１１は、表面シート２と防漏シート１７との間に介在し、それらシート２，１７に固着されている。
【００３２】
後胴周り域２２の端縁部５には、帯状の胴周り用弾性部材１２が伸長状態で取り付けられている。胴周り用弾性部材１２は、繊維不織布３ａとプラスチックフィルム３ｂとの間に介在し、それらに固着されている。
【００３３】
後胴周り域２２の両側縁部７には、横方向内方へ延びるテープファスナ１８が取り付けられている。テープファスナ１８は、その基端部が繊維不織布３ａとプラスチックフィルム３ｂとの間に介在し、それらに固着されている。テープファスナ１８の自由端部には、粘着剤（図示せず）が塗布されている。前胴周り域２０における裏面シート３の外面には、プラスチックシートからなる矩形のターゲットテープ１９が取り付けられている。ターゲットテープ１９は、テープファスナ１８に対する止着域となる。
【００３４】
おむつ１Ｂを着用するには、後胴周り域２２の両側縁部７を前胴周り域２０の両側縁部６の外側に重ね合わせ、粘着剤を介してテープファスナ１８の自由端部をターゲットテープ１９に止着し、前胴周り域２０と後胴周り域２２とを連結する。
【００３５】
それら図示例のおむつ１Ａ，１Ｂでは、コア４の前後端部４ａ，４ｃの剛性が中間部４ｂのそれよりも低いので、第１および第２弾性部材９，１０の中央部分９ｂ，１０ｂの収縮がコア４の前後端部４ａ，４ｃによって阻止されることはない。おむつ１Ａ，１Ｂでは、中央部分９ｂ，１０ｂが収縮し、その収縮によってコア４の前後端部４ａ，４ｃが着用者の肌に押し付けられるので、前後端部４ａ，４ｃを着用者の肌に密着させることができる。
【００３６】
また、おむつ１Ａ，１Ｂでは、それらを着用したときに、第１および第２弾性部材９，１０の両側部分９ａ，１０ａと第３弾性部材１１とが着用者の脚周りを囲繞し、それら弾性部材９，１０，１１が着用者の脚周りの略全周を締め付けるので、第１および第２弾性部材９，１０の中央部分９ｂ，１０ｂが股下域２１において前後方向へ離間していても、股下域２１からの排泄物の漏れを防ぐことができる。
【００３７】
それらおむつ１Ａ，１Ｂでは、第１および第２弾性部材９，１０の両側部分９ａ，１０ａと中央部分９ｂ，１０ｂとの伸長応力が両側部分＞中央部分の関係にあることが好ましい。それら部分９ａ，１０ａ，９ｂ，１０ｂの伸長応力が前記関係にあるおむつ１Ａ，１Ｂでは、両側部分９ａ，１０ａの収縮力によって着用者の脚周りを強く締め付けることができ、中央部分９ｂ，１０ｂが収縮したとしても、コア４の前後端部４ａ，４ｃに多数の皺が寄ってしまうことはない。
【００３８】
表面シート２には、親水性繊維不織布、または、開孔プラスチックフィルムを使用することができる。防漏シート１７には、不透液性のプラスチックフィルムを使用することができる。
【００３９】
裏面シート３には、疎水性繊維不織布３ａにプラスチックフィルム３ｂを固着した複合シートの他に、疎水性繊維不織布、不透液性のプラスチックフィルム、疎水性繊維不織布を重ね合わせた二層の不織布、のいずれかを使用することができる。また、裏面シート３には、高い耐水性を有するメルトブローン法による不織布を、高い強度を有しかつ柔軟性に富んだスパンボンド法による不織布で挟んだ複合不織布を使用することもできる。
【００４０】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維またはサドバイサイド型複合繊維を使用することができる。
【００４１】
コア４に含まれるポリマー粒子としては、デンプン系、セルロース系、合成ポリマー系のものを使用することができる。第１および第２弾性部材９，１０や第３弾性部材１１、胴周り用弾性部材１２、補助弾性部材１３には、合成ゴムや天然ゴム等のエラストマーを使用することができる。
【００４２】
表裏面シート２，３どうしの固着、裏面シート３に対する防漏シート１７の固着、表裏面シート２，３に対するコア４の接合、弾性部材９，１０，１１，１２，１３の取り付けには、ホットメルト系接着剤、または、ヒートシールやソニックシール等の熱による溶着手段を使用することができる。
【００４３】
【発明の効果】
本発明にかかる使い捨て着用物品によれば、コアの前後端部を横切る第１および第２弾性部材の中央部分が収縮し、その収縮によってコアの前後端部が物品着用者の肌に押し付けられるので、コアの前後端部を着用者の肌に密着させることができる。
【００４４】
コアの前後端部の剛性が中間部のそれよりも低い物品では、第１および第２弾性部材の中央部分の収縮がコアの前後端部によって阻止されることはなく、中央部分の収縮を利用してコアの前後端部を着用者の肌に密着させることができる。
【００４５】
第１および第２弾性部材の中央部分の間に第３弾性部材が延びる物品では、それを着用したときに、第１および第２弾性部材の両側部分と第３弾性部材とが着用者の脚周りを囲繞し、それら弾性部材が着用者の脚周りの略全周を締め付けるので、第１および第２弾性部材の中央部分が股下域において前後方向へ離間していても、股下域からの排泄物の漏れを防ぐことができる。
【図面の簡単な説明】
【図１】  パンツ型に成形する以前の状態で示すおむつの部分破断平面図。
【図２】  図１の状態からパンツ型に成形したおむつの部分破断斜視図。
【図３】  コアの中間部を省略して示す図１のＡ−Ａ線断面図。
【図４】  開放型のおむつの部分破断平面図。
【図５】  前後胴周り域を連結した着用状態で示すおむつの部分破断斜視図。
【図６】  コアの中間部を省略して示す図４のＢ−Ｂ線端面図。
【図７】  図４のＣ−Ｃ線端面図。
【符号の説明】
１Ａ          パンツ型の使い捨ておむつ（使い捨て着用物品）
１Ｂ          開放型の使い捨ておむつ（使い捨て着用物品）
２            透液性表面シート
３            不透液性裏面シート
４            吸液性コア
４ａ          前端部
４ｂ          中間部
４ｃ          後端部
８            脚周り対向側部
８ａ          前端
８ｂ          後端
９            第１弾性部材
９ａ          両側部分（第１両側部分）
９ｂ          中央部分（第１中央部分）
１０            第２弾性部材
１０ａ          両側部分（第２両側部分）
１０ｂ          中央部分（第２中央部分）
１１            第３弾性部材
２０            前胴周り域
２１            股下域
２１ａ          前後方向中央部
２２            後胴周り域
【図１】
0003810999.tif 000002
【図２】
0003810999.tif 000003
【図３】
0003810999.tif 000004
【図４】
0003810999.tif 000005
【図５】
0003810999.tif 000006
【図６】
0003810999.tif 000007
【図７】
0003810999.tif 000008